(57)【特許請求の範囲】
【請求項１】
本体を含み、前記本体は制御空間を含み、前記制御空間の中には油流入通路と油流出通路との温度差を監視することによって油の流入と流出を制御する監視機構が設置され、前記制御空間の底端壁には第一スライド溝が形成され、前記第一スライド溝の中には第一スライドブロックがスライドできるように設置され、前記第一スライド溝の底端には第一熱伝導ブロックが固定的に設置され、前記第一スライド溝の中には熱せられると膨張する第一液体が設置され、前記第一熱伝導ブロックと前記第一スライドブロックとの間には第一ばねが連結され、前記制御空間の下側には加熱空間が固定的に設置され、前記加熱空間の中には加熱機構が設置され、前記加熱空間の頂端には前記油流入通路が連通するように、且つ固定的に設置され、前記油流入通路の左側には前記加熱空間と連通する前記油流出通路が固定的に設置され、前記油流出通路の左側には油ポンプが固定的に、且つ連通するように設置され、前記加熱空間内部の左側には第一コンロッドが固定的に設置され、前記第一コンロッドには浮動ブロックがスライドできるように設置され、前記加熱空間の頂端において前記第一コンロッドの頂端に位置するところには第一接触スイッチが固定的に設置され、前記本体の右側にはリボイラーが固定的に設置され、前記リボイラーの中には高温油が流れるように貯蔵され、前記リボイラーの頂端と前記油流入通路との間には第一パイプが固定的に設置され、前記第一パイプには外接ブロックが設置され、前記外接ブロックの中には第二スライド溝が固定的に形成され、前記第二スライド溝の中には作動油を添加する油添加機構があり、前記第二スライド溝の中には第二スライドブロックがスライドできるように設置され、前記外接ブロックの中には前記第一パイプと連通する油添加パイプが固定的に設置され、前記第二スライドブロックは前記油添加パイプを塞ぐことができ、
前記監視機構は前記制御空間を含み、前記制御空間の底端壁には前記第一スライド溝が形成され、前記第一スライド溝の中には前記第一スライドブロックがスライドできるように設置され、前記第一スライド溝の底端には前記第一熱伝導ブロックが固定的に設置され、前記第一スライド溝の中には熱せられると膨張する前記第一液体が設置され、前記第一熱伝導ブロックと前記第一スライドブロックとの間には前記第一ばねが連結され、前記第一熱伝導ブロックは前記油流入通路の頂端と接触し、前記第一スライド溝の左側には第三スライド溝が固定的に形成され、前記第三スライド溝の中には第三スライドブロックがスライドできるように設置され、前記第三スライド溝の底端には第二熱伝導ブロックが固定的に設置され、前記第二熱伝導ブロックは前記油流出通路の頂端と接触し、前記第二熱伝導ブロックと前記第三スライドブロックとの間には第二ばねが連結され、
前記第三スライド溝の中には前記第一液体と同じである第二液体が貯蔵され、前記第一スライドブロックの頂端面には第二コンロッドが固定的に設置され、前記第二コンロッドの頂端には押し動かしブロックが固定的に設置され、前記第三スライドブロックは前記押し動かしブロックの内部を通り抜け、前記第三スライドブロックの頂端には阻止ブロックが固定的に設置され、前記押し動かしブロックの左側頂端には前記押し動かしブロックの左側頂端に前後に配置された二つの第一糸巻きロッドが設置され、前記第一糸巻きロッドの間には第一回転軸が回転できるように設置され、前記第一回転軸には第一糸巻き車が固定的に設置され、
前記制御空間の左側には伝動空間が固定的に設置され、前記伝動空間の中には第四スライド溝が固定的に形成され、前記第四スライド溝の中には第四スライドブロックがスライドできるように設置され、前記伝動空間の右側端壁には第二糸巻きロッドが固定的に設置され、前記第二糸巻きロッドには第二回転軸が回転できるように設置され、前記第二回転軸には第二糸巻き車が固定的に設置され、前記糸巻き車は前記第一糸巻き車と、前記第四スライドブロックと、前記阻止ブロックとの間には糸が回転できるように設置され、前記伝動空間内部の頂端壁には安全ブロックが固定的に設置され、前記安全ブロックの頂端において前記伝動空間の頂端壁の中に位置するところには第二接触スイッチが固定的に設置され、
前記安全ブロックの中には第五スライド溝が固定的に形成され、前記第五スライド溝の中には第五スライドブロックがスライドできるように設置され、前記第五スライドブロックの頂端面と前記第二接触スイッチとの間には第三ばねが連結され、前記第五スライドブロックの底端面には前記第四スライドブロックを通り抜ける凸起ロッドが固定的に設置され、前記第四スライド溝の底端壁には油送り通路が固定的に設置され、前記第四スライドブロックの底端面において前記油送り通路の中に位置するところには安全ロッドが固定的に連結され、前記安全ロッドの中には前記凸起ロッドを含む第一抜き穴が設置され、
前記加熱機構は前記加熱空間を含み、前記加熱空間の頂端には前記油流入通路が連通するように、且つ固定的に設置され、前記油流入通路の左側には前記加熱空間と連通する前記油流出通路が固定的に設置され、前記油流出通路の左側には前記油ポンプが固定的に、且つ連通するように設置され、前記加熱空間内部の左側には前記第一コンロッドが固定的に設置され、前記第一コンロッドには前記浮動ブロックがスライドできるように設置され、前記加熱空間の頂端において前記第一コンロッドの頂端に位置するところには前記第一接触スイッチが固定的に設置され、
前記加熱空間の底端には加熱ブロックが固定的に設置され、前記加熱ブロックは前記油ポンプと通電できるように連結され、前記加熱ブロックの下側には電源ブロックが設置され、前記電源ブロックは前記第四スライドブロックと通電できるように連結され、前記加熱ブロックの底端には第一導線口が固定的に設置され、前記電源ブロックの頂端には第二導線口が固定的に設置され、前記加熱ブロックと前記電源ブロックとの間には第六スライド溝が固定的に形成され、前記第六スライド溝の中には第六スライドブロックがスライドできるように設置され、前記第六スライドブロックの前端面には導電ロッドが固定的に設置され、前記第六スライドブロックの左端面と前記第六スライド溝の左端面との間には第四ばねが連結され、前記第六スライド溝の右端壁には第一電磁石が固定的に設置され、前記第一電磁石は前記第二接触スイッチと通電できるように連結され、
前記油添加機構は前記外接ブロックを含み、前記リボイラーの頂端と前記油流入通路との間には前記第一パイプが固定的に設置され、前記第一パイプには前記外接ブロックが設置され、前記外接ブロックの中には前記第二スライド溝が固定的に形成され、前記第二スライド溝の中には前記第二スライドブロックがスライドできるように設置され、前記外接ブロックの中には前記第一パイプと連通する前記油添加パイプが固定的に設置され、前記第二スライドブロックは前記油添加パイプを塞ぐことができ、
前記第二スライド溝の右端面には第二電磁石が固定的に設置され、前記第二電磁石と前記第二スライドブロックとの間には第五ばねが設置され、前記リボイラーの底端と前記油送り通路との間には第二パイプが固定的に連結され、前記リボイラーの中には断熱ブロックが固定的に設置され、前記断熱ブロックの右側には作動仕切り板が固定的に設置され、前記作動仕切り板の上側には熱交換油流出通路が固定的に設置され、前記作動仕切り板の下側には熱交換油流入通路が固定的に設置され、前記熱交換油流出通路と前記熱交換油流入通路との間には前記作動仕切り板が固定的に設置され、
前記リボイラーを使用する時、前記第一パイプの中に前記高温油が流れ、前記高温油は前記第一パイプを経由して前記油流入通路の中に流れ込み、前記油流入通路の中に入った前記高温油は前記第一熱伝導ブロックによって熱量を前記第一液体に伝達し、前記第一液体は熱量を吸収することで膨張して前記第一スライドブロックを上方にスライド連動させ、
前記第一スライドブロックは上方にスライドして前記第二コンロッドによって前記押し動かしブロックを上方に移動連動させ、前記押し動かしブロックは上方に移動して前記阻止ブロックによって前記第三スライドブロックを上方にスライド連動させ、この時、前記油流出通路で加熱された前記高温油は前記第二熱伝導ブロックによって熱量を前記第二液体に伝達し、前記第二液体は熱せられると膨張して前記第三スライドブロックを押し動かして上方にスライドさせ、使用後の高温油と未使用の高温油とは大きい温度差があるため、前記第一液体と前記第二液体とは吸収した熱量の量が異なり、それによって前記第一液体と前記第二液体との膨大する体積は異なり、それによって前記第三スライドブロックの上昇した高度は前記押し動かしブロックの上昇した高度より高く、前記阻止ブロックは上昇して前記糸によって前記第四スライドブロックを上方にスライド連動させ、
前記第四スライドブロックが上方にスライドすることで前記油流出通路の中の前記高温油は前記油送り通路の中に入り込み、前記リボイラーの中の温度は高すぎる時又は作動油は多すぎる時、前記リボイラーの中の圧力が上昇することで前記油送り通路の中の圧力は上昇し、前記油送り通路の圧力は上昇して前記第一抜き穴によって前記凸起ロッドに前記第五スライドブロックを上方にスライド連動させ、前記第五スライドブロックは上方にスライドして前記第二接触スイッチにタッチし、前記第二接触スイッチをオンにすることで設備が停電し、
前記第二接触スイッチをオンにした時、前記第二接触スイッチは前記第一電磁石を磁力を発生させるようにさせ、前記第一電磁石は磁力が発生することで前記第六スライドブロックを右方にスライド連動させ、前記第六スライドブロックは右方にスライドすることで前記導電ロッドを右方にスライド連動させ、前記導電ロッドは右方にスライドして前記第一導線口と前記第二導線口とに接触しなくなり、前記電源ブロックは前記加熱ブロックと前記油ポンプとに電力を提供しなくなり、前記加熱ブロックと前記油ポンプとが作動を停止し、
前記第二接触スイッチをオフにした時、前記電磁石は磁力を発生しなくなり、前記導電ロッドは前記第六スライドブロックによって前記第四ばねの作用の下で初期位置に戻り、前記電源ブロックは前記加熱ブロックと前記油ポンプとに電力を提供し続け、前記第四スライドブロックは上昇する時、前記電源ブロックは通電でき、
前記高温油は前記第二パイプを経由して前記リボイラーの中に流れ込み、前記リボイラーの中に入った前記高温油は前記熱交換油流入通路によって熱量を伝達し、そして前記熱交換油流出通路を経由して前記第一パイプに流れ込み、前記加熱空間の中の前記高温油は前記浮動ブロックに前記第一接触スイッチをタッチさせることができない時、前記第一接触スイッチは前記第二電磁石を通電させて磁力を発生させ、前記第二スライドブロックは磁力の作用で右方に移動し、前記第二スライドブロックは右方に移動して前記油添加パイプを塞がなくなり、この時、前記油添加パイプによって前記第一パイプの中に前記高温油を添加することができ、設備の自動化程度は高く、各構成の伝動は緊密で、運動エネルギー利用率は高いことを特徴とするリボイラー用新型の温度制御可能な油槽。
【発明の詳細な説明】
【技術分野】
【０００１】
本発明は工業用恒温油槽分野に関わり、具体的にはリボイラー用新型の温度制御可能な油槽である。
【背景技術】
【０００２】
国内工業レベルの発展につれて、色々な工業設備への利用の普及率は大いに高められ、気液変換を主な目的とするリボイラーは現代化学工業生産の環境で利用率が非常に高く、液体物が気化するリボイラーの基本的な原理は高温の油の熱伝達を利用して熱量を気化需要のある物に伝達し、その物を液体の状態から熱量を吸収することによって気体の状態に変えることであり、しかし今までの高温の油を加熱する設備は持続的に加熱するのであり、このような場合で設備は設備内の使用情況に応じて加熱状態を変えられなく、効率が低いだけではなく、反応も鈍く、同時に長時間の使用で、設備の正常使用寿命は大いに短縮され、従って、上記の問題を解決するために、リボイラー用新型の温度制御可能な油槽をデザインする必要がある。
【先行技術文献】
【特許文献】
【０００３】
【特許文献１】中国特許出願公開第１０３０６２９３４号明細書
【発明の概要】
【発明が解決しようとする課題】
【０００４】
本発明の解決しようとする技術的な問題はリボイラー用新型の温度制御可能な油槽を提供し、リボイラーから流出する液体の温度をリボイラーに流れ込む液体の温度と比較し、そして使用情況に応じて加熱モードの高効率で一体式の設備を始動することができ、その設備は反応が速くて機能が豊かである。
【課題を解決するための手段】
【０００５】
本発明は以下の技術プランによって実現される。
【０００６】
リボイラー用新型の温度制御可能な油槽は、本体を含み、前記本体は制御空間を含む。
【０００７】
前記制御空間の中には油流入通路と油流出通路との温度差を監視することによって油の流入と流出を制御する監視機構が設置され、前記制御空間の底端壁には第一スライド溝が形成され、前記第一スライド溝の中には第一スライドブロックがスライドできるように設置され、前記第一スライド溝の底端には第一熱伝導ブロックが固定的に設置され、前記第一スライド溝の中には熱せられると膨張する第一液体が設置され、前記第一熱伝導ブロックと前記第一スライドブロックとの間には第一ばねが連結されている。
【０００８】
前記制御空間の下側には加熱空間が固定的に設置され、前記加熱空間の中には加熱機構が設置され、前記加熱空間の頂端には前記油流入通路が連通するように、且つ固定的に設置され、前記油流入通路の左側には前記加熱空間と連通する前記油流出通路が固定的に設置され、前記油流出通路の左側には油ポンプが固定的に、且つ連通するように設置され、前記加熱空間内部の左側には第一コンロッドが固定的に設置され、前記第一コンロッドには浮動ブロックがスライドできるように設置され、前記加熱空間の頂端において前記第一コンロッドの頂端に位置するところには第一接触スイッチが固定的に設置されている。
【０００９】
前記本体の右側にはリボイラーが固定的に設置され、前記リボイラーの中には高温油が流れるように貯蔵され、前記リボイラーの頂端と前記油流入通路との間には第一パイプが固定的に設置され、前記第一パイプには外接ブロックが設置され、前記外接ブロックの中には第二スライド溝が固定的に形成され、前記第二スライド溝の中には作動油を添加する油添加機構があり、前記第二スライド溝の中には第二スライドブロックがスライドできるように設置され、前記外接ブロックの中には前記第一パイプと連通する油添加パイプが固定的に設置され、前記第二スライドブロックは前記油添加パイプを塞ぐことができる。
【００１０】
さらに、前記監視機構は前記制御空間を含み、前記制御空間の底端壁には前記第一スライド溝が形成され、前記第一スライド溝の中には前記第一スライドブロックがスライドできるように設置され、前記第一スライド溝の底端には前記第一熱伝導ブロックが固定的に設置され、前記第一スライド溝の中には熱せられると膨張する前記第一液体が設置され、前記第一熱伝導ブロックと前記第一スライドブロックとの間には前記第一ばねが連結され、前記第一熱伝導ブロックは前記油流入通路の頂端と接触し、前記第一スライド溝の左側には第三スライド溝が固定的に形成され、前記第三スライド溝の中には第三スライドブロックがスライドできるように設置され、前記第三スライド溝の底端には第二熱伝導ブロックが固定的に設置され、前記第二熱伝導ブロックは前記油流出通路の頂端と接触し、前記第二熱伝導ブロックと前記第三スライドブロックとの間には第二ばねが連結されている。
【００１１】
さらに、前記第三スライド溝の中には前記第一液体と同じである第二液体が貯蔵され、前記第一スライドブロックの頂端面には第二コンロッドが固定的に設置され、前記第二コンロッドの頂端には押し動かしブロックが固定的に設置され、前記第三スライドブロックは前記押し動かしブロックの内部を通り抜け、前記第三スライドブロックの頂端には阻止ブロックが固定的に設置され、前記押し動かしブロックの左側頂端には前記押し動かしブロックの左側頂端に前後に配置された二つの第一糸巻きロッドが設置され、前記第一糸巻きロッドの間には第一回転軸が回転できるように設置され、前記第一回転軸には第一糸巻き車が固定的に設置されている。
【００１２】
さらに、前記制御空間の左側には伝動空間が固定的に設置され、前記伝動空間の中には第四スライド溝が固定的に形成され、前記第四スライド溝の中には第四スライドブロックがスライドできるように設置され、前記伝動空間の右側端壁には第二糸巻きロッドが固定的に設置され、前記第二糸巻きロッドには第二回転軸が回転できるように設置され、前記第二回転軸には第二糸巻き車が固定的に設置され、前記糸巻き車は前記第一糸巻き車と、前記第四スライドブロックと、前記阻止ブロックとの間には糸が回転できるように設置され、前記伝動空間内部の頂端壁には安全ブロックが固定的に設置され、前記安全ブロックの頂端において前記伝動空間の頂端壁の中に位置するところには第二接触スイッチが固定的に設置されている。
【００１３】
さらに、前記安全ブロックの中には第五スライド溝が固定的に形成され、前記第五スライド溝の中には第五スライドブロックがスライドできるように設置され、前記第五スライドブロックの頂端面と前記第二接触スイッチとの間には第三ばねが連結され、前記第五スライドブロックの底端面には前記第四スライドブロックを通り抜ける凸起ロッドが固定的に設置され、前記第四スライド溝の底端壁には油送り通路が固定的に設置され、前記第四スライドブロックの底端面において前記油送り通路の中に位置するところには安全ロッドが固定的に連結され、前記安全ロッドの中には前記凸起ロッドを含む第一抜き穴が設置されている。
【００１４】
さらに、前記加熱機構は前記加熱空間を含み、前記加熱空間の頂端には前記油流入通路が連通するように、且つ固定的に設置され、前記油流入通路の左側には前記加熱空間と連通する前記油流出通路が固定的に設置され、前記油流出通路の左側には前記油ポンプが固定的に、且つ連通するように設置され、前記加熱空間内部の左側には前記第一コンロッドが固定的に設置され、前記第一コンロッドには前記浮動ブロックがスライドできるように設置され、前記加熱空間の頂端において前記第一コンロッドの頂端に位置するところには前記第一接触スイッチが固定的に設置されている。
【００１５】
さらに、前記加熱空間の底端には加熱ブロックが固定的に設置され、前記加熱ブロックは前記油ポンプと通電できるように連結され、前記加熱ブロックの下側には電源ブロックが設置され、前記電源ブロックは前記第四スライドブロックと通電できるように連結され、前記加熱ブロックの底端には第一導線口が固定的に設置され、前記電源ブロックの頂端には第二導線口が固定的に設置され、前記加熱ブロックと前記電源ブロックとの間には第六スライド溝が固定的に形成され、前記第六スライド溝の中には第六スライドブロックがスライドできるように設置され、前記第六スライドブロックの前端面には導電ロッドが固定的に設置され、前記第六スライドブロックの左端面と前記第六スライド溝の左端面との間には第四ばねが連結され、前記第六スライド溝の右端壁には第一電磁石が固定的に設置され、前記第一電磁石は前記第二接触スイッチと通電できるように連結されている。
【００１６】
さらに、前記油添加機構は前記外接ブロックを含み、前記リボイラーの頂端と前記油流入通路との間には前記第一パイプが固定的に設置され、前記第一パイプには前記外接ブロックが設置され、前記外接ブロックの中には前記第二スライド溝が固定的に形成され、前記第二スライド溝の中には前記第二スライドブロックがスライドできるように設置され、前記外接ブロックの中には前記第一パイプと連通する前記油添加パイプが固定的に設置され、前記第二スライドブロックは前記油添加パイプを塞ぐことができる。
【００１７】
さらに、前記第二スライド溝の右端面には第二電磁石が固定的に設置され、前記第二電磁石と前記第二スライドブロックとの間には第五ばねが設置され、前記リボイラーの底端と前記油送り通路との間には第二パイプが固定的に連結され、前記リボイラーの中には断熱ブロックが固定的に設置され、前記断熱ブロックの右側には作動仕切り板が固定的に設置され、前記作動仕切り板の上側には熱交換油流出通路が固定的に設置され、前記作動仕切り板の下側には熱交換油流入通路が固定的に設置され、前記熱交換油流出通路と前記熱交換油流入通路との間には前記作動仕切り板が固定的に設置されている。
【発明の効果】
【００１８】
本発明の有益な効果は：本発明の設備はリボイラー使用前と使用後との二つの状態下の高温油の温度をリアルタイム監視し、そして熱伝導ブロックで温度を中間媒介に伝達して熱交換対比を行い、さらに温度差を通してリボイラー内部温度の使用程度を判断し、この過程において作動効率は高く、一体化程度も高く、温度を上記のように対比した後、仮に加熱装置を始動する必要があると設備は自動的に設備の加熱装置を始動でき、同時に設備内部には安全装置を有し、温度が高すぎることで気圧は大きすぎる時、設備は電源を切って排気し、設備の操作は簡単で、過程は安全で速い。
【図面の簡単な説明】
【００１９】
説明しやすいために、本発明を下記の具体的な実施例及び附図をもって詳しく説明する。下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００２０】
【図１】図１は本発明の実施例の機械構成概略図
【図２】図２は図１におけるＡの拡大構成概略図
【図３】図３は図１におけるＢの拡大構成概略図
【図４】図４は図１におけるＣの拡大構成概略図
【発明を実施するための形態】
【００２１】
付図１〜４に記載のリボイラー用新型の温度制御可能な油槽を参照し、本体１０を含み、前記本体１０は制御空間６７を含み、前記制御空間６７の中には油流入通路２３と油流出通路２２との温度差を監視することによって油の流入と流出を制御する監視機構９１が設置され、前記制御空間６７の底端壁には第一スライド溝６５が形成され、前記第一スライド溝６５の中には第一スライドブロック６４がスライドできるように設置され、前記第一スライド溝６５の底端には第一熱伝導ブロック６１が固定的に設置され、前記第一スライド溝６５の中には熱せられると膨張する第一液体６２が設置され、前記第一熱伝導ブロック６１と前記第一スライドブロック６４との間には第一ばね６３が連結されている。
【００２２】
前記制御空間６７の下側には加熱空間２４が固定的に設置され、前記加熱空間２４の中には加熱機構９２が設置され、前記加熱空間２４の頂端には前記油流入通路２３が連通するように、且つ固定的に設置され、前記油流入通路２３の左側には前記加熱空間２４と連通する前記油流出通路２２が固定的に設置され、前記油流出通路２２の左側には油ポンプ１５が固定的に、且つ連通するように設置され、前記加熱空間２４内部の左側には第一コンロッド１８が固定的に設置され、前記第一コンロッド１８には浮動ブロック１７がスライドできるように設置され、前記加熱空間２４の頂端において前記第一コンロッド１８の頂端に位置するところには第一接触スイッチ１６が固定的に設置されている。
【００２３】
前記本体１０の右側にはリボイラー３１が固定的に設置され、前記リボイラー３１の中には高温油２５が流れるように貯蔵され、前記リボイラー３１の頂端と前記油流入通路２３との間には第一パイプ３２が固定的に設置され、前記第一パイプ３２には外接ブロック３３が設置され、前記外接ブロック３３の中には第二スライド溝３６が固定的に形成され、前記第二スライド溝３６の中には作動油を添加する油添加機構９０があり、前記第二スライド溝３６の中には第二スライドブロック３７がスライドできるように設置され、前記外接ブロック３３の中には前記第一パイプ３２と連通する油添加パイプ３８が固定的に設置され、前記第二スライドブロック３７は前記油添加パイプ３８を塞ぐことができる。
【００２４】
前記監視機構９１は前記制御空間６７を含み、前記制御空間６７の底端壁には前記第一スライド溝６５が形成され、前記第一スライド溝６５の中には前記第一スライドブロック６４がスライドできるように設置され、前記第一スライド溝６５の底端には前記第一熱伝導ブロック６１が固定的に設置され、前記第一スライド溝６５の中には熱せられると膨張する前記第一液体６２が設置され、前記第一熱伝導ブロック６１と前記第一スライドブロック６４との間には前記第一ばね６３が連結され、前記第一熱伝導ブロック６１は前記油流入通路２３の頂端と接触し、前記第一スライド溝６５の左側には第三スライド溝５６が固定的に形成され、前記第三スライド溝５６の中には第三スライドブロック５５がスライドできるように設置され、前記第三スライド溝５６の底端には第二熱伝導ブロック５９が固定的に設置され、前記第二熱伝導ブロック５９は前記油流出通路２２の頂端と接触し、前記第二熱伝導ブロック５９と前記第三スライドブロック５５との間には第二ばね５７が連結され、前記第三スライド溝５６の中には前記第一液体６２と同じである第二液体５８が貯蔵され、前記第一スライドブロック６４の頂端面には第二コンロッド６６が固定的に設置され、前記第二コンロッド６６の頂端には押し動かしブロック５４が固定的に設置され、前記第三スライドブロック５５は前記押し動かしブロック５４の内部を通り抜け、前記第三スライドブロック５５の頂端には阻止ブロック７７が固定的に設置され、前記押し動かしブロック５４の左側頂端には前記押し動かしブロック５４の左側頂端に前後に配置された二つの第一糸巻きロッド５３が設置され、前記第一糸巻きロッド５３の間には第一回転軸５２が回転できるように設置され、前記第一回転軸５２には第一糸巻き車５１が固定的に設置され、前記制御空間６７の左側には伝動空間４６が固定的に設置され、前記伝動空間４６の中には第四スライド溝４１が固定的に形成され、前記第四スライド溝４１の中には第四スライドブロック１１がスライドできるように設置され、前記伝動空間４６の右側端壁には第二糸巻きロッド４７が固定的に設置され、前記第二糸巻きロッド４７には第二回転軸４８が回転できるように設置され、前記第二回転軸４８には第二糸巻き車５０が固定的に設置され、前記糸巻き車５０は前記第一糸巻き車５１と、前記第四スライドブロック１１と、前記阻止ブロック７７との間には糸４９が回転できるように設置され、前記伝動空間４６内部の頂端壁には安全ブロック４０が固定的に設置され、前記安全ブロック４０の頂端において前記伝動空間４６の頂端壁の中に位置するところには第二接触スイッチ３９が固定的に設置され、前記安全ブロック４０の中には第五スライド溝４２が固定的に形成され、前記第五スライド溝４２の中には第五スライドブロック４４がスライドできるように設置され、前記第五スライドブロック４４の頂端面と前記第二接触スイッチ３９との間には第三ばね４３が連結され、前記第五スライドブロック４４の底端面には前記第四スライドブロック１１を通り抜ける凸起ロッド１３が固定的に設置され、前記第四スライド溝４１の底端壁には油送り通路４５が固定的に設置され、前記第四スライドブロック１１の底端面において前記油送り通路４５の中に位置するところには安全ロッド１２が固定的に連結され、前記安全ロッド１２の中には前記凸起ロッド１３を含む第一抜き穴１４が設置され、前記リボイラー３１を使用する時、前記第一パイプ３２の中に前記高温油２５が流れ、前記高温油２５は前記第一パイプ３２を経由して前記油流入通路２３の中に流れ込み、前記油流入通路２３の中に入った前記高温油２５は前記第一熱伝導ブロック６１によって熱量を前記第一液体６２に伝達し、前記第一液体６２は熱量を吸収することで膨張して前記第一スライドブロック６４を上方にスライド連動させ、前記第一スライドブロック６４は上方にスライドして前記第二コンロッド６６によって前記押し動かしブロック５４を上方に移動連動させ、前記押し動かしブロック５４は上方に移動して前記阻止ブロック７７によって前記第三スライドブロック５５を上方にスライド連動させ、この時、前記油流出通路２２で加熱された前記高温油２５は前記第二熱伝導ブロック５９によって熱量を前記第二液体５８に伝達し、前記第二液体５８は熱せられると膨張して前記第三スライドブロック５５を押し動かして上方にスライドさせ、使用後の高温油と未使用の高温油とは大きい温度差があるため、前記第一液体６２と前記第二液体５８とは吸収した熱量の量が異なり、それによって前記第一液体６２と前記第二液体５８との膨大する体積は異なり、それによって前記第三スライドブロック５５の上昇した高度は前記押し動かしブロック５４の上昇した高度より高く、前記阻止ブロック７７は上昇して前記糸４９によって前記第四スライドブロック１１を上方にスライド連動させ、前記第四スライドブロック１１が上方にスライドすることで前記油流出通路２２の中の前記高温油２５は前記油送り通路４５の中に入り込み、前記リボイラー３１の中の温度は高すぎる時又は作動油は多すぎる時、前記リボイラー３１の中の圧力が上昇することで前記油送り通路４５の中の圧力は上昇し、前記油送り通路４５の圧力は上昇して前記第一抜き穴１４によって前記凸起ロッド１３に前記第五スライドブロック４４を上方にスライド連動させ、前記第五スライドブロック４４は上方にスライドして前記第二接触スイッチ３９にタッチし、前記第二接触スイッチ３９をオンにすることで設備が停電する。
【００２５】
前記加熱機構９２は前記加熱空間２４を含み、前記加熱空間２４の頂端には前記油流入通路２３が連通するように、且つ固定的に設置され、前記油流入通路２３の左側には前記加熱空間２４と連通する前記油流出通路２２が固定的に設置され、前記油流出通路２２の左側には前記油ポンプ１５が固定的に、且つ連通するように設置され、前記加熱空間２４内部の左側には前記第一コンロッド１８が固定的に設置され、前記第一コンロッド１８には前記浮動ブロック１７がスライドできるように設置され、前記加熱空間２４の頂端において前記第一コンロッド１８の頂端に位置するところには前記第一接触スイッチ１６が固定的に設置され、前記加熱空間２４の底端には加熱ブロック１９が固定的に設置され、前記加熱ブロック１９は前記油ポンプ１５と通電できるように連結され、前記加熱ブロック１９の下側には電源ブロック２０が設置され、前記電源ブロック２０は前記第四スライドブロック１１と通電できるように連結され、前記加熱ブロック１９の底端には第一導線口７５が固定的に設置され、前記電源ブロック２０の頂端には第二導線口６９が固定的に設置され、前記加熱ブロック１９と前記電源ブロック２０との間には第六スライド溝７１が固定的に形成され、前記第六スライド溝７１の中には第六スライドブロック７４がスライドできるように設置され、前記第六スライドブロック７４の前端面には導電ロッド７３が固定的に設置され、前記第六スライドブロック７４の左端面と前記第六スライド溝７１の左端面との間には第四ばね７２が連結され、前記第六スライド溝７１の右端壁には第一電磁石７０が固定的に設置され、前記第一電磁石７０は前記第二接触スイッチ３９と通電できるように連結され、前記第二接触スイッチ３９をオンにした時、前記第二接触スイッチ３９は前記第一電磁石７０を磁力を発生させるようにさせ、前記第一電磁石７０は磁力が発生することで前記第六スライドブロック７４を右方にスライド連動させ、前記第六スライドブロック７４は右方にスライドすることで前記導電ロッド７３を右方にスライド連動させ、前記導電ロッド７３は右方にスライドして前記第一導線口７５と前記第二導線口６９とに接触しなくなり、前記電源ブロック２０は前記加熱ブロック１９と前記油ポンプ１５とに電力を提供しなくなり、前記加熱ブロック１９と前記油ポンプ１５とが作動を停止し、前記第二接触スイッチ３９をオフにした時、前記電磁石７０は磁力を発生しなくなり、前記導電ロッド７３は前記第六スライドブロック７４によって前記第四ばね７２の作用の下で初期位置に戻り、前記電源ブロック２０は前記加熱ブロック１９と前記油ポンプ１５とに電力を提供し続け、前記第四スライドブロック１１は上昇する時、前記電源ブロック２０は通電できる。
【００２６】
前記油添加機構９０は前記外接ブロック３３を含み、前記リボイラー３１の頂端と前記油流入通路２３との間には前記第一パイプ３２が固定的に設置され、前記第一パイプ３２には前記外接ブロック３３が設置され、前記外接ブロック３３の中には前記第二スライド溝３６が固定的に形成され、前記第二スライド溝３６の中には前記第二スライドブロック３７がスライドできるように設置され、前記外接ブロック３３の中には前記第一パイプ３２と連通する前記油添加パイプ３８が固定的に設置され、前記第二スライドブロック３７は前記油添加パイプ３８を塞ぐことができ、前記第二スライド溝３６の右端面には第二電磁石３４が固定的に設置され、前記第二電磁石３４と前記第二スライドブロック３７との間には第五ばね３５が設置され、前記リボイラー３１の底端と前記油送り通路４５との間には第二パイプ２１が固定的に連結され、前記リボイラー３１の中には断熱ブロック２８が固定的に設置され、前記断熱ブロック２８の右側には作動仕切り板２９が固定的に設置され、前記作動仕切り板２９の上側には熱交換油流出通路３０が固定的に設置され、前記作動仕切り板２９の下側には熱交換油流入通路２６が固定的に設置され、前記熱交換油流出通路３０と前記熱交換油流入通路２６との間には前記作動仕切り板２９が固定的に設置され、前記高温油２５は前記第二パイプ２１を経由して前記リボイラー３１の中に流れ込み、前記リボイラー３１の中に入った前記高温油２５は前記熱交換油流入通路２６によって熱量を伝達し、そして前記熱交換油流出通路３０を経由して前記第一パイプ３２に流れ込み、前記加熱空間２４の中の前記高温油２５は前記浮動ブロック１７に前記第一接触スイッチ１６をタッチさせることができない時、前記第一接触スイッチ１６は前記第二電磁石３４を通電させて磁力を発生させ、前記第二スライドブロック３７は磁力の作用で右方に移動し、前記第二スライドブロック３７は右方に移動して前記油添加パイプ３８を塞がなくなり、この時、前記油添加パイプ３８によって前記第一パイプ３２の中に前記高温油２５を添加することができる。
【００２７】
装置全体の機械動作の順序は下記の通りである。
【００２８】
１．前記リボイラー３１を使用する時、前記第一パイプ３２の中に前記高温油２５が流れ、前記高温油２５は前記第一パイプ３２を経由して前記油流入通路２３の中に流れ込み、前記油流入通路２３の中に入った前記高温油２５は前記第一熱伝導ブロック６１によって熱量を前記第一液体６２に伝達し、前記第一液体６２は熱量を吸収することで膨張して前記第一スライドブロック６４を上方にスライド連動させる。
【００２９】
２．前記第一スライドブロック６４は上方にスライドして前記第二コンロッド６６によって前記押し動かしブロック５４を上方に移動連動させ、前記押し動かしブロック５４は上方に移動して前記阻止ブロック７７によって前記第三スライドブロック５５を上方にスライド連動させ、この時、前記油流出通路２２で加熱された前記高温油２５は前記第二熱伝導ブロック５９によって熱量を前記第二液体５８に伝達し、前記第二液体５８は熱せられると膨張して前記第三スライドブロック５５を押し動かして上方にスライドさせ、使用後の高温油と未使用の高温油とは大きい温度差があるため、前記第一液体６２と前記第二液体５８とは吸収した熱量の量が異なり、それによって前記第一液体６２と前記第二液体５８との膨大する体積は異なり、それによって前記第三スライドブロック５５の上昇した高度は前記押し動かしブロック５４の上昇した高度より高く、前記阻止ブロック７７は上昇して前記糸４９によって前記第四スライドブロック１１を上方にスライド連動させる。
【００３０】
３．前記第四スライドブロック１１が上方にスライドすることで前記油流出通路２２の中の前記高温油２５は前記油送り通路４５の中に入り込み、前記リボイラー３１の中の温度は高すぎる時又は作動油は多すぎる時、前記リボイラー３１の中の圧力が上昇することで前記油送り通路４５の中の圧力は上昇し、前記油送り通路４５の圧力は上昇して前記第一抜き穴１４によって前記凸起ロッド１３に前記第五スライドブロック４４を上方にスライド連動させ、前記第五スライドブロック４４は上方にスライドして前記第二接触スイッチ３９にタッチし、前記第二接触スイッチ３９をオンにすることで設備が停電する。
【００３１】
４．前記第二接触スイッチ３９をオンにした時、前記第二接触スイッチ３９は前記第一電磁石７０を磁力を発生させるようにさせ、前記第一電磁石７０は磁力が発生することで前記第六スライドブロック７４を右方にスライド連動させ、前記第六スライドブロック７４は右方にスライドすることで前記導電ロッド７３を右方にスライド連動させ、前記導電ロッド７３は右方にスライドして前記第一導線口７５と前記第二導線口６９とに接触しなくなり、前記電源ブロック２０は前記加熱ブロックと前記油ポンプ１５とに電力を提供しなくなり、前記加熱ブロック１９と前記油ポンプ１５とが作動を停止する。
【００３２】
５．前記第二接触スイッチ３９をオフにした時、前記電磁石７０は磁力を発生しなくなり、前記導電ロッド７３は前記第六スライドブロック７４によって前記第四ばね７２の作用の下で初期位置に戻り、前記電源ブロック２０は前記加熱ブロック１９と前記油ポンプ１５とに電力を提供し続け、前記第四スライドブロック１１は上昇する時、前記電源ブロック２０は通電できる。
【００３３】
６．前記高温油２５は前記第二パイプ２１を経由して前記リボイラー３１の中に流れ込み、前記リボイラー３１の中に入った前記高温油２５は前記熱交換油流入通路によって熱量を伝達し、そして前記熱交換油流出通路３０を経由して前記第一パイプ３２に流れ込み、前記加熱空間２４の中の前記高温油２５は前記浮動ブロック１７に前記第一接触スイッチ１６をタッチさせることができない時、前記第一接触スイッチ１６は前記第二電磁石３４を通電させて磁力を発生させ、前記第二スライドブロック３７は磁力の作用で右方に移動し、前記第二スライドブロック３７は右方に移動して前記油添加パイプ３８を塞がなくなり、この時、前記油添加パイプ３８によって前記第一パイプ３２の中に前記高温油２５を添加することができ、設備の自動化程度は高く、各構成の伝動は緊密で、運動エネルギー利用率は高い。
【００３４】
上記の実施例は本発明の技術的構想と特徴を説明するだけであり、その目的は当業者に本発明内容を了解させてさらに実施させるのであり、本発明の保護範囲を制限することはできない。本発明の精神の実質に基づいて行われたすべての等価的な変化又は修飾は、本発明の保護範囲の中に含むべきである。
【要約】
【課題】本発明はリボイラー用新型の温度制御可能な水槽を開示した。
【解決手段】
本体を含み、前記本体は制御空間を含み、前記制御空間の中には油流入管と油流出管との温度差を監視することによって油の流入と流出を制御する監視機構が設置され、本発明の設備はリボイラー使用前と使用後との二つの状態下の高温油の温度をリアルタイム監視し、そして熱伝導ブロックで温度を中間媒介に伝達して熱交換対比を行い、さらに温度差を通してリボイラー内部温度の使用程度を判断し、この過程において作動効率は高く、一体化程度も高く、温度を上記のように対比した後、仮に加熱装置を始動する必要があると設備は自動的に設備の加熱装置を始動でき、同時に設備内部には安全装置を有し、温度が高すぎることで気圧は大きすぎる時、設備は電源を切って排気する。
【選択図】図１【図１】
0006826700.tif 000002
【図２】
0006826700.tif 000003
【図３】
0006826700.tif 000004
【図４】
0006826700.tif 000005